(57)【要約】【課題】  干渉に対する感度とアンテナ感度とに関する以前に知られた両極端の間の最適な折り合いを示すとともに、製造時の取扱いが容易で高レベルな機械安定性によって特徴付けられる遠隔制御腕時計を提供すること。【解決手段】  アンテナコイル２７を通過するソフトアイアンコア２８は、柔軟なプレートまたは薄板の細長い積重ね状態であって、プリント回路基板の端部２３に沿う環状の弧形状で腕時計ケース１１内に近接して固定されている。コア２８は、できる限り最大の周方向角で延びる一方、プッシュボタンスイッチバネ舌２４のためおよび電力貯蔵装置２１のために、その両端間に空間を残している。振動クォーツ１６を有するプロセッサクロック回路の配置は、アンテナコイル２７と略正反対の関係にある。【選択図】  図１
2005345480.tif 000002
【特許請求の範囲】
【請求項１】
ケース（１１）内に配置され、コア（２８）によって保持されたコイル（２７）からなる磁気長波アンテナ（２６）を有する遠隔制御腕時計（１２）において、
コアは、時計動作の電子モジュールプリント回路基板（１３）の端部（２３）に沿って側方端で保持される長い曲げられた束状のソフトアイアン薄板からなることを特徴とする遠隔制御腕時計。
【請求項２】
積層されたコア（２８）は、９０°より明らかに大きい周方向角度にわたって延びていることを特徴とする請求項１に記載の遠隔制御腕時計。
【請求項３】
ソフトアイアンのコア（２８）は、１８０°程度、好ましくは２４０°程度の周方向角度にわたって延びていることを特徴とする請求項１または２に記載の遠隔制御腕時計。
【請求項４】
コア（２８）は、プリント回路基板の端部（２３）に沿って、プッシュボタンスイッチバネ舌（２４）のための凹部（２２）を有する領域の近傍まで延びていることを特徴とする請求項１乃至３のいずれかに記載の遠隔制御腕時計。
【請求項５】
コア（２８）は、プリント回路基板の端部（２３）に沿って、電子モジュールの作動のために貯蔵装置（２１）を受容する端凹部（２０）まで延びていることを特徴とする請求項１乃至４のいずれかに記載の遠隔制御腕時計。
【請求項６】
コア（２８）は、腕時計ケース（１１）の内側外形に適合する形状であり、腕時計ケースに隣接しており、プリント回路基板の端部（２３）に沿って延びていることを特徴とする請求項１乃至５のいずれかに記載の遠隔制御腕時計。
【請求項７】
アンテナコイル（２７）の一部は、コア（２８）の断面を越えて突出しており、プリント回路基板（１３）の端部（２３）に設けられた自由空間（２９）に係合していることを特徴とする請求項１乃至６のいずれかに記載の遠隔制御腕時計。
【請求項８】
曲がったソフトアイアンコアの積層パック（２８）は、プリント回路基板の端部（２３）に沿ってコア（２８）を固定する硬化合成樹脂や硬化粘着剤によってそれ自体成形固定されていることを特徴とする請求項１乃至７のいずれかに記載の遠隔制御腕時計。
【請求項９】
アンテナコイル（２７）は、実質的にプロセッサ（１５）や時計回路（振動クオーツ１６）と直径的に反対の位置関係でプリント回路基板（１３）に配置されていることを特徴とする請求項１乃至８いずれかに記載の遠隔制御腕時計。
【発明の詳細な説明】
【技術分野】
【０００１】
この発明は、特許請求の範囲の請求項１の前段部分に規定された遠隔制御腕時計に関するものである。
【背景技術】
【０００２】
通常の種類の時計の中には、デンマーク国実用新案第９３１８２２４号（ＤＥ９３１８２２４Ｕ１）に開示されているように、エンコードされた絶対時間情報を受信するための、コイルと円筒状フェライトコアからなる長波アンテナが、太い角状のベース部に設けられた中空空間にあるストラップ接合部に平行な腕時計ケースの中の電子モジュールのプリント回路基板のそばに配置されている。
【０００３】
特に女性の腕時計のための小さな腕時計ケースの場合には、非常に短いフェライト棒と対応するアンテナ感度の低いレベルを伴う。その理由のために、使用に適した時間電信の受信は、非常に良好な受信状況下であるか、又は極度に高感度な受信機をもってのみ可能である。
【０００４】
しかしながら、受信機が高レベルな感度を有しているちょうどその時に、そのような時間電信は、外部の干渉源によって、又は腕時計内部の、特にプロセッサの作動のための高周波クロック発生器のような干渉源によって、そのデコード能力において容易に不利な影響を受け得る。
【０００５】
欧州特許出願公開０６４９０７６号（ＥＰ０６４９０７６Ａ３）は、コアはもはや円筒状のコイルキャリアではなく、ケース直径を十分に占めるフェライトプレートであることを提供している。これにより、要求される受信器感度の程度の減少における高レベルなアンテナ感度の結果として干渉からかなり逃れられることが、磁気長波アンテナのための大きなコア質量によって達成される。そして、このコアは同時に機械的かつ電気的な構成要素のためおよび電子時計モジュールの電気回路のためのキャリアとなっている。
【０００６】
この配置においては、アンテナコイルはフェライトプレートの側面の突出部に配置されている。このように形作られたフェライト成分は、製造にコストがかかり、寸法精度よく時計の他の機械的又は電気的部品を受容するための処理および機械工作の観点からは危険であり、特に時計部品とアンテナコイルとを受容するために部分的に弱くなっている箇所が存在するようなプレートでは衝撃が負荷された時の破損のおそれが大きい。
【０００７】
小さな時計のケース内の曲がった形状をした空間内の取り付けのために、欧州特許出願公開第０３４８６３６号（ＥＰ０３４８６３６Ａ１）は、例えば、アンテナを取り付けるために時計のケース内の利用できる空間を最大限利用するために、そして同時に異なる受信配向性を実現可能とする観点のために、フレキシブルで互いに相対的に移動可能で特にシート型の非晶質金属のような高い透磁性を有する電磁ソフト物質からなるストリップが、その取付けの局所的な状況次第で、Ｌ字状又はＵ字状又はＺ字状のような曲がった形状に設計されることを提供している。
【０００８】
個々に磁気的に効果的なストリップを有する柔軟コアスタックは、腕輪の一部として長波アンテナに相当するために、リングの一部を形成するようにその後曲げられ得る。
【発明の開示】
【発明が解決しようとする課題】
【０００９】
対照的に、遠隔制御腕時計の場合には、その時計の腕輪内にアンテナを移動することが役立つ。ケース内の曲がった形状をした空間内の使用のための前述の幾何形状の場合の不利益は、それに伴う複雑な成形と、このことが伴う高レベルの組立コストと、曲がった形状内で延びるそのようなコアの有効な長さが（投影によって計測されるように）比較的短いことである。
【００１０】
腕時計の腕輪内にストリップの柔軟なスタックを取付けることは、腕時計内部の干渉源からの距離に関して、そして有効なコア長さに関して明らかに最適な受信状況に対応しているが、腕輪の時計ケースへの接続を経由するアンテナコイルから受信回路までの柔軟な接続は、実際上きわめて摩耗しやすい。
【００１１】
これらの事実を考慮しつつ、本発明の目的は、干渉に対する感度とアンテナ感度とに関する以前に知られた両極端の間の最適な折り合いを示すとともに、製造時の取扱いが容易で高レベルな機械安定性によって特徴付けられる遠隔制御腕時計のための磁気長波アンテナを提供することである。
【課題を解決するための手段】
【００１２】
本発明によれば、その目的は主たる請求の範囲に挙げられた本質的な特徴によって達成される。本発明は、ケース内に配置され、コアによって保持されたコイルからなる磁気長波アンテナを有する遠隔制御腕時計において、コアは、時計動作の電子モジュールプリント回路基板の端部に沿って側方端で保持される長い曲げられた束状のソフトアイアン薄板からなることを特徴とする遠隔制御腕時計である。
【００１３】
その構成によれば、ソフトアイアン（soft-iron ）の薄板から層状にされた高度に柔軟なコイルコアが、遠隔制御動作の電子モジュールのための（主たる）プリント回路基板の端部に沿う円弧の一部の形態に延びている。
【００１４】
そのコアはプリント回路基板に堅固に接続され、そのことがそのコアに高レベルの機械安定性を与えている。そのコアがプリント回路基板の端部に、従って導電性が無く磁気遮蔽性の無いケースに接近して延びているという事実は、最も重要な内部の干渉源すなわちプロセッサ作動のためのクロック発生器から最大限可能な距離をおくことを可能にする。クロック発生器は、できる限りアンテナコイルと直径的に正反対に対置するように配置される。
【００１５】
そのコアは明らかに９０°より多い弧の角度で延びるべきである。アンテナの効果は、すでに約１２０°から大変良好である。最大の有効長さ（コイルコアの端部を横切る投影あるいは弦）は、半円状の弧、すなわち１８０°を超える弧によって達成される。好ましくはしかし、曲がったコアはさらに大きい角度、２４０°程度以上にまで延びる。それは明らかに、有効なコア長さのさらなる増大を与えない。しかしそれは、それでもなお、アンテナ感度のレベルの増大を与える。なぜなら、１８０°を超えて延びるコイルコアの端部は、フィールドコレクティング極導体部のようにふるまうからである。
【００１６】
コアの弧の外側のプリント回路プレートの端部には、外部作動スイッチ部材が設けられる間隙または空間が存在する。加えて、コイルコアの端部は、スイッチ部材のそばに貯蔵装置（光電セルからの動作の作動のための初期電池または蓄電池）を配置することを可能にするような距離によってお互いから離れていることが望ましい。
【００１７】
従ってそれは、小さな寸法にもかかわらず高レベルの効果という矛盾する要求を兼ね備え、その点で動作の全体の機能に統合され得て、非晶質金属の長く細い薄層物の積み重ねによって衝撃抵抗を有する（ドイツ工業規格（ＤＩＮ）８３０８による）ような遠隔制御腕時計アンテナを提供する。最終的な空間形状で冷凍されることによって硬化され、その接続において遠隔制御動作の電子モジュール上に直接に接着されたこの柔軟なパックは、ぴったりと隣接する時計ケースによって機械的に安定化されている。最小の空間という要求にもかかわらず、その配置は、利用できる空間の最良の利用を果たしており、もしそれが動作の直径に対する半円形態で適用されるなら最大限可能な有効長さを有するアンテナコイルコアを与え、同時に、その動作にとっての内部の干渉源から最大限の距離を達成することが可能である。
【発明を実施するための最良の形態】
【００１８】
本発明の付加的な発展、さらなる特徴および利点は、以下の請求の範囲や図面にかなり単純化された形態で本質的な部分に限定され縮尺はほぼ正確（倍率によって拡大される）に図式的に示された本発明による構成の以下の好適な実施例の記述から明らかである。
【００１９】
図面の単一の図は、アナログ針の時間表示のための伝動装置組立部を考慮しないで、腕時計ケースに囲まれるプリント回路基板に向かって見た遠隔制御腕時計の電子モジュールを示している。
【００２０】
遠隔制御腕時計１２の環状の腕時計ケース１１の内部空間は、本実施例では断面が円状であり、プリント回路基板１３によって実質的に占められている。プリント回路基板１３は、遠隔制御動作の電子モジュールの電気的接続と機械的取付とのため、その端部において略円形状であり、例えば典型的にほんの２．２ｃｍの直径である。これは好ましくは、電気的な遠隔制御時計機能のための、それ自体で作動可能な伝達装置の後方に配置され得る主プリント回路基板をともなう。
【００２１】
詳細には、“遠隔制御運動”という題の私たちの同日付出願において光バリア組立体を有する伝動装置連合部に関して記載されており、この同日付出願は、ここで本発明のさらなる記述という目的のために、その全体の内容に関して参照される。それらの構成部品は、特に、長波によって伝播される時間伝信の復調のためのエンコード絶対時間に関するクォーツ安定化受信回路１４と、時間伝信のデコードのため、時計の針によってただちに表示される時間とそれの比較のため、および遠隔伝達によって受信される現在時間からの偏差がある場合にその時間表示を修正するためのプロセッサ１５とをともなう。それらは例えば欧州特許第０１８０１５５号（ＥＰ０１８０１５５Ｂ１）に記載されている。
【００２２】
プロセッサ１５のクロック周波数は、さらに振動クォーツ１６によって安定化される。より小さいグループとより大きいグループとに配置される種々の個別的なコンデンサ１７がコンデンサ回路のために設けられている。穴１８は、図示されない伝動装置のギヤと針組立部のためのシャフトの貫通路として機能するようになっている。
【００２３】
デンマーク国特許第３５１０８６１号（ＤＥ３５１０８６１Ｃ２）によれば、針の位置の検出のために、伝動装置の特定のギヤの角度位置を検出するための少なくとも１つの光バリア部材１９が主プリント回路基板１３上に配置されている。
【００２４】
電子モジュールのプリント回路基板１３の端部の比較的大きい凹部２０は、電子モジュールすなわち受信器、プロセッサおよび駆動回路の作動のためのボタン状の貯蔵装置２１を受容している。貯蔵装置２１は、例えば光電セルを有する時計回路の作動のための初期電池かまたは化学的あるいは電気的な貯蔵装置（蓄電池またはコンデンサ）であり得る。端部２３の形状内の凹部２２上では、例えばプロセッサ１５内のスイッチ機能を起動するための例えば押ロッドによってケース１１の外側から作動され得るバネ舌２４が終わっている。バネ舌２４は、プリント回路基板１３上に固定された相対接点２５に対してもたれるまで傾けられている。その目的のため、バネ舌２４は、プリント回路基板１３の端部への共通の電気的および機械的接続を管理するために、参照または接地電位に好ましくはつながっている。
【００２５】
低レベルの磁気結合のために、針の配置の時間維持運動のためのステッピングモータ３０が、そのフィールドコイルが可能な限りアンテナコイル２７に対して略横方向に配置されるよう方向付けられている。たとえ受信器１４が受信妨害を回避するためにステッピングモータ３０の作動に関して相互に移動された関係でスイッチが入れられても、そのような２つの近接して隣り合うコイルの磁気結合の解除が受信作動の点でのさらなる信頼性に貢献する。
【００２６】
長波伝達によって伝播される時間伝信の受信のために、受信回路１４は磁気アンテナ２６に、より明確に接続されている。フレームアンテナの態様で、それはコンデンサ１７によって時間送信器の搬送波周波数に調整されるコイル２７を有している。アンテナ２６の感度レベルを高めるために、コイル２７は、特にシート型の非晶質金属などの高い透磁性を有する電磁ソフト材料による柔軟ストリップの積み重ねを有する積層化されたコア２８によって保持されている。
【００２７】
コア２８の断面を超えて突出するコイル２７は、プリント回路基板１３の端部２３で切抜かれたまたは除去された自由空間２９内に係合している。コイル２７の外方に延びるコア２８は、その端部２３に沿ってプリント回路基板１３に支持されている。
【００２８】
このような配置では、コア２８は、個々のストリップがそれらの側方端部でそれらの長手方向側に配置され、プリント回路基板の端部２３の周縁の方向に曲げられた形状に延びるような態様で積み重ねられている。隣接するケース１１の輪郭形状の中で必ずしも円弧状でないこの端部２３は、コイル２７の外側の円弧形状に延びるコア２８の断面幾何形状を決定する。
【００２９】
高レベルのアンテナ感度を達成し得るコア２８の最大有効長さは、円弧の弦がプリント回路基板１３の中心点を実質的に通って延びる場合、すなわち曲げられた積層コア２８が１８０°の角度を超えて延びる場合に与えられる。図示の実施例より大きな角度は明白に有効なアンテナ長さを増大させないが、それはアンテナ感度のレベルを増大させる。なぜなら、１８０°を超えて突出する積層化されたソフトアイアンのコアの端部は、電極キャップのようなフィールド強化効果を有し、アンテナコイルの指向性の感度をいくらか減少する。
【００３０】
製造時において、アンテナコイル２７を通過する積層ソフトアイアンコア２８は、ケース１１の内側壁の断面幾何形状あるいはプリント回路基板の端部２３の形状に従って曲げられ、コイル２７は、コア２８の配置によって、あるいはコンデンサ回路１７によって、時間送信器（特にＤＣＦ７７）の固定伝達周波数に調整される。
【００３１】
コイル位置と円弧状の幾何形状を固定する目的のために、コイル２７と共にコア２８は、キャスト装置内に注入され、合成樹脂や他の粘着剤をしみ込まされる。そのように硬化された混合体２７−２８は、アンテナコイル２７が空間２９に突出した状態でプリント回路基板１３の端部２３上に接着される。あるいは、プリント回路基板１３は、さらなる混合成分１３−２７−２８の形態で結合硬化するため、正確な位置関係でキャスト装置に配置される。この配置は、空間が極端に小さいという要求を、最も重要な干渉源（振動クォーツ１６を有するプロセッサ１５）から大変大きいというとても望ましいある距離に極端に安定に固定する効果と組み合わせる。
【００３２】
加えて、そのように曲げられ所定位置に固定されたコア２８は、近接して隣り合うケース１１に対してそのほとんど全長にわたって支持されていることによって、機械的な負荷から最適な態様で保護される。
【００３３】
腕時計ケース１１内の限られた空間的状況の下で、遠隔制御腕時計１２の磁気長波アンテナ２６は、もしアンテナコイル２７を通過するソフトアイアンコア２８が、プリント回路基板の端部２３に沿う（環状の）弧形状で腕時計ケース１１内に近接して固定された柔軟なプレートまたは薄板の細長い積重ね状態であって、できる限り最大の周方向角で延びる一方、プッシュボタンスイッチバネ舌２４のためおよび電力貯蔵装置２１のためにその両端間に空間を残しており、振動クォーツ１６を有するプロセッサクロック回路の配置がアンテナコイル２７と略正反対の関係である場合、アンテナ感度と衝撃抵抗のある構造という点に関して、最適な状況である。
【図面の簡単な説明】
【００３４】
【図１】本発明による遠隔制御腕時計の一実施の形態を示す概略図。
【符号の説明】
【００３５】
１１  腕時計ケース
１２  遠隔制御腕時計
１３  プリント回路基板
１４  クォーツ安定化受信回路
１５  プロセッサ
１６  振動クォーツ
１７  コンデンサ
１８  穴
１９  光バリア部材
２０  大きい凹部
２１  貯蔵装置
２２  凹部
２３  端部
２４  バネ舌
２５  相対接点
２６  磁気アンテナ
２７  アンテナコイル
２８  積層コア
２９  自由空間
３０  ステッピングモータ
【図１】
2005345480.tif 000003
【手続補正書】
【提出日】平成17年8月29日(2005.8.29)
【手続補正１】
【補正対象書類名】特許請求の範囲
【補正対象項目名】全文
【補正方法】変更
【補正の内容】
【特許請求の範囲】
【請求項１】
ケース（１１）内に配置され、コア（２８）によって保持されたコイル（２７）からなる磁気長波アンテナ（２６）を有する遠隔制御腕時計（１２）において、
コアは、時計動作の電子モジュールプリント回路基板（１３）の端部（２３）に沿って側方端で保持される長い曲げられた束状のソフトアイアン薄板からなることを特徴とする遠隔制御腕時計。
【請求項２】
積層されたコア（２８）は、９０°より明らかに大きい周方向角度にわたって延びていることを特徴とする請求項１に記載の遠隔制御腕時計。
【請求項３】
ソフトアイアンのコア（２８）は、１８０°程度の周方向角度にわたって延びていることを特徴とする請求項１または２に記載の遠隔制御腕時計。
【請求項４】
ソフトアイアンのコア（２８）は、２４０°程度の周方向角度にわたって延びていることを特徴とする請求項３に記載の遠隔制御腕時計。
【請求項５】
コア（２８）は、プリント回路基板の端部（２３）に沿って、プッシュボタンスイッチバネ舌（２４）のための凹部（２２）を有する領域の近傍まで延びていることを特徴とする請求項１乃至４のいずれかに記載の遠隔制御腕時計。
【請求項６】
コア（２８）は、プリント回路基板の端部（２３）に沿って、電子モジュールの作動のために貯蔵装置（２１）を受容する端凹部（２０）まで延びていることを特徴とする請求項１乃至５のいずれかに記載の遠隔制御腕時計。
【請求項７】
コア（２８）は、腕時計ケース（１１）の内側外形に適合する形状であり、腕時計ケースに隣接しており、プリント回路基板の端部（２３）に沿って延びていることを特徴とする請求項１乃至６のいずれかに記載の遠隔制御腕時計。
【請求項８】
アンテナコイル（２７）の一部は、コア（２８）の断面を越えて突出しており、プリント回路基板（１３）の端部（２３）に設けられた自由空間（２９）に係合していることを特徴とする請求項１乃至７のいずれかに記載の遠隔制御腕時計。
【請求項９】
曲がったソフトアイアンコアの積層パック（２８）は、プリント回路基板の端部（２３）に沿ってコア（２８）を固定する硬化合成樹脂や硬化粘着剤によってそれ自体成形固定されていることを特徴とする請求項１乃至８のいずれかに記載の遠隔制御腕時計。
【請求項１０】
アンテナコイル（２７）は、実質的にプロセッサ（１５）や時計回路（振動クオーツ１６）と直径的に反対の位置関係でプリント回路基板（１３）に配置されていることを特徴とする請求項１乃至９いずれかに記載の遠隔制御腕時計。
【手続補正２】
【補正対象書類名】明細書
【補正対象項目名】０００２
【補正方法】変更
【補正の内容】
【０００２】
通常の種類の時計の中には、ドイツ国実用新案第９３１８２２４号（ＤＥ９３１８２２４Ｕ１）に開示されているように、エンコードされた絶対時間情報を受信するための、コイルと円筒状フェライトコアからなる長波アンテナが、太い角状のベース部に設けられた中空空間にあるストラップ接合部に平行な腕時計ケースの中の電子モジュールのプリント回路基板のそばに配置されている。
【手続補正３】
【補正対象書類名】明細書
【補正対象項目名】００２３
【補正方法】変更
【補正の内容】
【００２３】
ドイツ国特許第３５１０８６１号（ＤＥ３５１０８６１Ｃ２）によれば、針の位置の検出のために、伝動装置の特定のギヤの角度位置を検出するための少なくとも１つの光バリア部材１９が主プリント回路基板１３上に配置されている。